(57)【要約】【課題】  厚みを持った紙面等であっても収納操作が行い易い袋状の収納部有し、且つ溶着部分が破損し難いクリアファイルを提供する。【解決手段】  合成樹脂製であって、長方形に形成された第一の外側シートと、上記第一の外側シートの幅方向一端部に延設され、延設線に沿って折り合わせることによって、上記第一の外側シートと対向して配置される第二の外側シートと、上記第一の外側シートの幅方向他端部に延設され、延設線に沿って折り合わせることによって、上記第一の外側シートと上記第二の外側シートとの間に配置される中間シートとから形成され、上記第一の外側シートと上記第二の外側シートは、下端縁部に沿って互いに溶着された構成とする。【選択図】  図１
2011230492.tif 000002
【特許請求の範囲】
【請求項１】
方形に形成された第一の外側シートと、
上記第一の外側シートの第一辺部に沿って外方に延設され、上記第一辺部に沿って折り合わせることによって、上記第一の外側シートと対向して配置される第二の外側シートと、
上記第一の外側シートにおいて、上記第一辺部以外の第二辺部に沿って外方に延設され、上記第二辺部に沿って折り曲げることによって、上記第一の外側シートと、上記第二の外側シートとの間に配置される中間シートとから形成され、
上記第一の外側シートと上記第二の外側シートとは、上記第一辺部に沿って折り合わせた状態において、上記第一辺部に直交すると共に上記第二辺部以外の第三辺部に沿って互いに溶着されていることを特徴とするクリアファイル。
【請求項２】
合成樹脂製であって、長方形に形成された第一の外側シートと、
上記第一の外側シートの幅方向一端部に延設され、延設線に沿って折り合わせることによって、上記第一の外側シートと対向して配置される第二の外側シートと、
上記第一の外側シートの幅方向他端部に延設され、延設線に沿って折り合わせることによって、上記第一の外側シートと上記第二の外側シートとの間に配置される中間シートとから形成され、
上記第一の外側シートと上記第二の外側シートは、下端縁部に沿って互いに溶着されていることを特徴とするクリアファイル。
【請求項３】
上記中間シートの上端部には、上記第一の外側シートと上記中間シートとの上端開放部を被覆しうる、封止片部が延設されていることを特徴とする請求項２記載のクリアファイル。
【請求項４】
上記第一の外側シートの上端部には、係止孔部が形成されると共に、
上記封止片部には、上記係止孔部と係合しうる係止片部が形成されていることを特徴とする請求項３記載のクリアファイル。
【請求項５】
上記第一の外側シートと上記中間シートとの延設線に沿って、上記中間シートを切り離し可能とするミシン目が形成されていることを特徴とする請求項１から請求項４いずれか１項に記載のクリアファイル。
【請求項６】
上記第一の外側シートと上記第二の外側シートは、透過性を有する共に、
上記中間シートには、装飾が施されていることを特徴とする請求項１から６いずれか１項に記載のクリアファイル。
【発明の詳細な説明】
【技術分野】
【０００１】
本発明は、合成樹脂シートから形成され、書類等を挟持して保持しうるクリアファイルに関する。
【背景技術】
【０００２】
書類の一時的な保管、及び持ち運び等の際に上記書類を挟み込んで収納するクリアファイルは広く流通している。
【０００３】
図５に示すように、一般的に流通しているクリアファイル７０は、幅方向に延設された、透明若しくは半透明の２枚の合成樹脂シート７１、７２を延設線７３に沿って折り重ね、下端縁部７４を加熱溶融等の手段によって溶着した形態を有している。
上記クリアファイル７０は、少量の書類を挟んで保管する場合に非常に便利であるが、上端部７５と一方の側辺部７６が開放されているため、挟持する書類が所定以上の枚数になると、上記上端部７５と上記一方の側辺部７６が大きく開いてしまい、収納した書類がはみ出す、若しくは落下し易くなるという不具合を有していた。
【０００４】
また、図６（ｂ）に示すように、透明若しくは半透明の合成樹脂からなり、幅方向に延設した３枚の長方形のシート部材８０ａ、８０ｂ、８０ｃを、延設線８１、８２に沿って巻き込むように折畳むことによって、図６（ａ）に示すように、第一の外側シート８３と、第二の外側シート８４と、上記第一の外側シート８３と第二の外側シート８４の間に配置される中間シート８５を形成し、上記第一の外側シート８３、第二の外側シート８４、及び中間シート８５を下端縁部に沿って相互に固着した形態のクリアファイル８０が提案されている（特許文献１）。
【０００５】
図６（ａ）に示すように、上記特許文献１に係るクリアファイル８０にあっては、上記第二のシート８４と上記中間シート８５に挟まれた収納空間８６は一般的なクリアファイルと同様に、上端部と一方の側辺部が開放されている。
一方、上記第一のシート８３と上記中間シート８５に挟まれた収納空間８７は、上端部は開放されているが、両側辺部は開放されていない袋状に形成されている。
更に、上記中間シート８５の上端部には、上端部の開放部を被覆しうる封止片部８８が延設されている。
【０００６】
図６（ａ）に示すように、特許文献１に係るクリアファイル８０にあっては、収納空間８６によって、一般的なクリアファイルの機能を保持すると共に、上記収納空間８７が袋状に形成されているため、収納物が落下し難い。
また、上記収納空間８７にブランド名、商品名、若しくは宣伝広告等を印字した紙面等８９を収納することによって、クリアファイル８０の表面に直接宣伝広告等を印刷する必要が無くなり、この結果、クリアファイル８０の製造コストを低減することができる。
【０００７】
しかしながら、特許文献１に係るクリアファイル８０は、上記第一の外側シート８３、第二の外側シート８４、及び中間シート８５を下端縁部に沿って相互に固着されているため、上記収納空間８７に収納される紙面等の厚さ寸法が大きくなった場合は、上記中間シート８５の上端部に歪みが生じ、クリアシート８０全体が撓むことから、収納空間８６に紙面等を収納し難くなると共に、下端部の溶着部分が破損し易いという不具合を有していた。
また、上記収納空間８７に紙面等８９を収納する場合、上端開放部から挿入する必要があるため、紙面等８９の収納操作が非常に煩わしいという不具合をも有していた。
【特許文献１】実登３１４３５０８号公報
【発明の開示】
【発明が解決しようとする課題】
【０００８】
本発明の解決する課題は、厚みを持った紙面等であっても収納操作が行い易い袋状の収納部有し、且つ溶着部分が破損し難いクリアファイルを提供することにある。
【課題を解決するための手段】
【０００９】
上記課題を解決するために、請求項１に記載した発明に係るクリアファイルは、方形に形成された第一の外側シートと、上記第一の外側シートの第一辺部に沿って外方に延設され、上記第一辺部に沿って折り合わせることによって、上記第一の外側シートと対向して配置される第二の外側シートと、上記第一の外側シートにおいて、上記第一辺部以外の第二辺部に沿って外方に延設され、上記第二辺部に沿って折り曲げることによって、上記第一の外側シートと、上記第二の外側シートとの間に配置される中間シートとから形成され、上記第一の外側シートと上記第二の外側シートとは、上記第一辺部に沿って折り合わせた状態において、上記第一辺部に直交すると共に上記第二辺部以外の第三辺部に沿って互いに溶着されていることを特徴とする。
【００１０】
また、請求項２に記載した発明に係るクリアファイルは、合成樹脂製であって、長方形に形成された第一の外側シートと、上記第一の外側シートの幅方向一端部に延設され、延設線に沿って折り合わせることによって、上記第一の外側シートと対向して配置される第二の外側シートと、上記第一の外側シートの幅方向他端部に延設され、延設線に沿って折り合わせることによって、上記第一の外側シートと上記第二の外側シートとの間に配置される中間シートとから形成され、上記第一の外側シートと上記第二の外側シートは、下端縁部に沿って互いに溶着されていることを特徴とする。
【００１１】
従って、請求項１及び請求項２に係るクリアファイルにあっては、第一の外側シートと中間シートとによって、袋状の収納空間が形成される。
また、上記中間シートが上記第一及び第二の外側シートと固着されていないため、上記収納空間に、厚みを有する紙面等を収納した場合には、上記中間シートと上記第一の外側シートとの間隙が上記袋状の収納空間の上端部から下端部にかけて、均等に拡開され、上記中間シートに歪みが生じることが無い。
【００１２】
また、請求項３に記載した発明に係るクリアファイルは、上記中間シートの上端部には、上記第一の外側シートと上記中間シートとの上端開放部を被覆しうる封止片部が延設されていることを特徴とする。
【００１３】
従って、上記封止片部で、上記第一の外側シートと上記中間シートとの上端開放部と上記中間シートで形成される収納空間を封止することができる。
【００１４】
また、請求項４に記載した発明に係るクリアファイルは、上記第一の外側シートの上端部には、係止孔部が形成されると共に、上記封止片部には、上記係止孔部と係合しうる係止片部が形成されていることを特徴とする。
【００１５】
従って、上記係止孔部に上記係止片部を係止することによって、第一の外側シートと上記中間シートとの上端開放部と上記中間シートで形成される収納空間の封止状態が保持される。
【００１６】
また、請求項５に記載した発明に係るクリアファイルは、上記第一の外側シートと上記中間シートとの延設線に沿って、上記中間シートを切り離すためのミシン目が形成されていることを特徴とする。
【００１７】
従って、上記ミシン目に沿って上記中間シートを切り離すことによって、従来のクリアシートの形態に変更することができる。
【００１８】
また、請求項６に記載した発明に係るクリアファイルは、上記第一の外側シートと上記第二の外側シートは、透過性を有すると共に、上記中間シートには、装飾が施されていることを特徴とする。
【００１９】
従って、装飾を施した中間シートを、外方から視認することができる。
なお、中間シートの装飾は、中間シート表面に所定の文字、模様等を印字する場合、及び、中間シートの形状を所定の装飾形状にする場合のいずれをも含むこととする。
【発明の効果】
【００２０】
請求項１、及び請求項２の発明にあっては、第一の外側シートと中間シートとによって、袋状の収納空間が形成されると共に、上記中間シートが上記第一及び第二の外側シートと固着されていないことから、上記収納空間に、厚みを有する紙面等を収納した場合には、上記中間シートと上記第一の外側シートとの間隙が上記袋状の収納空間の上端部から下端部にかけて、均等に拡開され、上記中間シートに歪みが生じることが無い。
従って、厚みを持った紙面等であっても収納操作が行い易い袋状の収納部有し、且つ溶着部分が破損し難いクリアファイルを提供することができる。
【００２１】
また、請求項３の発明にあっては、上記中間シートの上端部には、上記第一の外側シートと上記中間シートとの上端開放部を被覆しうる封止片部が延設されていることから、請求項２の効果に加え、上記第一の外側シートと中間シートとによって形成された袋状の収納空間に収納された紙面等の収納物がより落下し難くなり、持ち運びが容易となる。
更に、請求項４の発明にあっては、上記第一の外側シートの上端部には、係止孔部が形成されると共に、上記封止片部には、上記係止孔部と係合しうる係止片部が形成されていることから、上記第一の外側シートと中間シートとによって形成された袋状の収納空間の封止状態が確実に保持され、収納物がより落下し難くなる。
【００２２】
また、請求項５の発明にあっては、上記第一の外側シートと上記中間シートとの延設線に沿って、上記中間シートを切り離すためのミシン目が形成されていることから、袋状の収納空間が不要となった場合は、従来のクリアファイルと同様の形態とすることができるため、使用用途がより広くなる。
【００２３】
また、請求項６の発明にあっては、上記第一の外側シートと上記第二の外側シートは、透過性を有すると共に、上記中間シートには、装飾が施されていることから、中間シートにブランド名、もしくは広告等を印字することによって、上記中間シートを宣伝広告目的でも利用することができる。
【図面の簡単な説明】
【００２４】
【図１】本発明の一実施の形態を示し、実施例の形態におけるクリアファイルの正面図である。
【図２】図１に示すクリアファイルの展開状態を示す平面図である。
【図３】本発明の他の実施形態を示し、（ａ）は当該他の実施例におけるクリアファイルの正面図、（ｂ）は中間シートを第一及び第二の外側シートから抜き取り、ミシン目に沿って切り離した状態を示す正面図である。
【図４】本発明の別の実施形態を示し、（ａ）は当該別の実施例におけるクリアファイルの正面図、（ｂ）は中間シートを第一及び第二の外側シートから抜き取った状態を示す正面図である。
【図５】従来のクリアファイルの形態を示す正面図である。
【図６】従来の別のクリアファイルの形態を示す（ａ）は正面図、（ｂ）は展開状態を示す平面図である。
【発明を実施するための最良の形態】
【００２５】
本発明を実施するための形態について、添付図面を用いて以下説明する。
図１（ａ）、（ｂ）に示すように、本実施例に係るクリアファイル１０は、長方形に形成された第一の外側シート１１と、上記第一の外側シート１１の幅方向一端部１２に延設され、延設線１３に沿って折り合わせることによって、上記第一の外側シート１１と対向して配置される第二の外側シート１４と、上記第一の外側シート１１の幅方向他端部１５に延設され、延設線１６に沿って折り合わせることによって、上記第一の外側シート１１と上記第二の外側シート１４との間に配置される中間シート１７とから形成され、上記第一の外側シート１１と上記第二の外側シート１４は、下端縁部１８に沿って互いに溶着されている。
【００２６】
また、上記中間シート１７の上端部２０には、上記第一の外側シート１１と上記中間シート１７との上端開放部２１を被覆しうる封止片部２２が延設されている。
【００２７】
また、上記第一の外側シート１１の上端部２３には、係止孔部２４が形成されると共に、上記封止片部２２には、上記係止孔部２４と係合しうる係止片部２５が形成されている。
【実施例１】
【００２８】
上記実施例の構成について、以下図面を用いて詳述する。
図１に示すように、本実施例に係るクリアファイル１０は、全体略長方形に形成されている。
なお、全体の大きさ寸法ついては、収納する紙面等の大きさに合わせ、Ａ４サイズ、Ｂ４サイズ等、適宜サイズを選択することができる。
また、第一の外側シート１１、第二の外側シート１４、及び中間シート１７は同一の合成樹脂素材からなり、原料にはポリプロピレン、ポリエチレン等、任意の素材を選択することができる。
【００２９】
また、上記第一の外側シート１１と第二の外側シート１４の下端縁部１８は超音波溶着法によって溶着されている。
【００３０】
また、上記第一の外側シート１１と上記中間シート１７の間に形成される収納空間２６は上端部２３のみが開放された袋状に形成され、上記第二の外側シート１４と中間シート１７の間に形成される収納空間２７は、上端部２６と、幅方向一端部２９が開放されている。
従って、紙面等を持ち運ぶ際等には、収納空間２６に紙面等を収納して、封止片部２２で上端部２６の開放部を被覆し、更に上記封片部２２の係止片部２５と、上記第一の外側シート１１の係止孔部２４とを係合させることによって、収納された紙面等が落下し難く、持ち運びが容易となる。
また、紙面等をすぐに取り出す必要がある場合等は、上記中間シート１７と上記第二の外側シート１４の間に形成された収納空間２６に収納することによって従来のクリアファイルと同様に、収納紙面等を簡単に取り出すことができる。
【００３１】
また、本実施例に係るクリアファイル１０を一枚のシートに展開した場合、図２に示すように、長方形に形成された第一の外側シート１１の幅方向一端部１２に延設線１３を介して第二の外側シートが延設され、また、中間シート１７は、上記第一の外側シート１１の幅方向他端部１５に延設線１６に沿って延設された形態となる。
なお、上記第一の外側シート１１及び第二の外側シート１４に対して、所定寸法長さ方向に沿って上方にずらして配置されている。
【００３２】
本実施例に係るクリアファイル１０を図２に示す形態から製造する場合は、上記第一の外側シート１１と上記第二の外側シート１４を延設線１３介して折り合わせ、更に中間シート１７を延設線１６に沿って折り曲げて、上記第一の外側シート１１と第二の外側シート１４の間に挿入する。
図２に示すように、上記第一の外側シート１１及び第二の外側シート１４に対して、所定寸法長さ方向に沿って上方にずらして配置されているため、図１に示すように、上記第一の外側シート１１と第二の外側シート１４の下端縁部１８を溶着する際に、中間シート１７が上記第一の外側シート１１と第二の外側シート１４と共に溶着されてしまうことを防止する。
【００３３】
従って、上記収納空間２６に紙面等を収納する場合は、上記中間シート１７を一旦抜き出して、上記第一の外側シート１１と第二の外側シート１４の間に紙面等を挟み、その後、上記中間シート１７を再度挿入することによって、容易に上記紙面等を上記収納空間２６に収納することができる。
また、紙面等の厚さ寸法が大きい場合でも、上記中間シート１７が、上記第一の外側シート１１と上記第二の外側シート１４と固定されていないことから、上記収納空間２６が拡開し易く、収納時においてもクリアファイル１０に歪み等が生じ難い。
【実施例２】
【００３４】
また、図３（ａ）に示すように、本発明に係るクリアファイル１０は、上記第一の外側シート１１と中間シート１７との間の延設線に沿って、ミシン目２８を形成することもできる。
従って、図３（ｂ）に示すように、上記ミシン目２８に沿って、上記中間シート１７を切り離すことことによって、従来のクリアファイルとして利用することもできる。
【実施例３】
【００３５】
また、本発明にあっては、中間シート１７が、上記第一の外側シート１１と上記第二の外側シート１４と固定されていないことから、図４（ａ）、（ｂ）に示すように中間シート１７の下半部を星型等の任意の装飾形状にすると共に、任意の装飾を施すこともできる。
従って、上記中間シート１７を、宣伝広告用に使用することができると共に、クリアファイル１０の外観品質が向上する。
【産業上の利用可能性】
【００３６】
本発明は、合成樹脂シートから形成され、書類等を挟持して保持しうるクリアファイルに適用可能である。
【符号の説明】
【００３７】
１０  クリアファイル
１１  第一の外側シート
１２  第一の外側シートの幅方向一端部
１３  延設線
１４  第二の外側シート
１５  第一の外側シートの幅方向他端部
１６  延設線
１７  中間シート
１８  第一及び第二の外側シートの下端縁部
２０  中間シートの上端縁部
２１  上端開放部
２２  封止片部
２３  第一のシートの上端部
２４  係止孔部  
２５  係止片部
２６  収納空間
２７  収納空間
２８  ミシン目
２９  クリアファイルの幅方向一端部
７０  クリアファイル
７１  合成樹脂シート
７２  合成樹脂シート
７３  延設線
７４  クリアファイルの下端縁部  
７５  クリアファイルの上端部
７６  クリアファイルの一方の側辺部
８０  クリアファイル
８１  延設線
８２  延設線
８３  第一の外側シート
８４  第二の外側シート
８５  中間シート
８６  収納空間
８７  収納空間
８８  封止片部
８９  紙面等
【図１】
2011230492.tif 000003
【図２】
2011230492.tif 000004
【図３】
2011230492.tif 000005
【図４】
2011230492.tif 000006
【図５】
2011230492.tif 000007
【図６】
2011230492.tif 000008